【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
用紙上に画像形成を行う画像形成エンジンと、
用紙が積層されて収納される積層収納部と、
この積層されている用紙を１枚ずつ分離して前記画像形成エンジンに搬送する給紙装置と、
前記搬送を行う搬送経路上に設けられ前記積層収納部から取り出された前記用紙が一時的に収納される一時収納部と、
この一時収納部に前記積層収納部から搬送された前記用紙を先端から収納し、また、前記一時収納部に収納されている前記用紙の後端を先端とするように前記用紙をスイッチバックして前記画像形成エンジンに向けて送り出す用紙反転装置とを備え、
前記給紙装置は、前記一時収納部より前記積層収納部側の前記搬送経路で前記用紙を送る場合と前記一時収納部より前記画像形成エンジン側の前記搬送経路で前記用紙を送る場合とで前記用紙の搬送速度を異ならせている画像形成装置。
【請求項２】
前記給紙装置は、前記一時収納部から前記画像形成エンジンに向けて前記用紙を送る場合より前記積層収納部から前記一時収納部に向けて前記用紙を送る場合の前記用紙の搬送速度を速くしている請求項１に記載の画像形成装置。
【請求項３】
前記給紙装置は、前記一時収納部より前記積層収納部側の前記搬送経路と前記一時収納部より前記画像形成エンジン側の前記搬送経路とで前記用紙の搬送およびその停止のタイミングを別個独立としている請求項１または２に記載の画像形成装置。
【請求項４】
前記用紙反転装置は、前記用紙をニップして正逆回転可能なーラ対からなり、このローラ対の正逆回転により前記用紙の前記一時収納部への収納および前記画像形成エンジンに向けての送り出しを行なう請求項１〜３のいずれかの一に記載の画像形成装置。
【請求項５】
前記ローラ対間を圧接させまた当該圧接を開放する圧接・開放装置を備え、
前記開放により前記一時収納部から前記搬送路に送り出されつつある前記用紙と前記搬送路から前記一時収納部に収納されつつある前記用紙とが重畳し合って前記一時収納部内に同時に存在することを可能とする請求項４に記載の画像形成装置。
【請求項６】
前記一時収納部内であって前記一時収納部内に同時に存在する用紙が重畳し合わない領域で前記用紙を検出する用紙検出センサを備え、
前記用紙検出センサにより前記一時収納部に進入してくる前記用紙の進入側先端部および前記一時収納部内から送出される前記用紙の送出側先端部のいずれも検出可能とした請求項５に記載の画像形成装置。
【請求項７】
前記一時収納部内から送出される前記用紙の前記送出側先端部の前記用紙検出センサによる検出信号に基づいて前記搬送経路から前記画像形成エンジンに前記用紙を供給する際のレジストレーション動作のタイミングをとるタイミング手段を備えている請求項６に記載の画像形成装置。
【請求項８】
用紙上に画像形成を行う画像形成エンジンと、
用紙が積層されて収納される積層収納部と、
この積層されている用紙を１枚ずつ分離して前記画像形成エンジンに搬送する給紙装置と、
前記搬送を行う搬送経路上に設けられ前記積層収納部から取り出された前記用紙が一時的に収納される一時収納部と、
この一時収納部に前記積層収納部から搬送された前記用紙を先端から収納し、また、前記一時収納部に収納されている前記用紙の後端を先端とするように前記用紙をスイッチバックして前記画像形成エンジンに向けて送り出す用紙反転装置とを備え、
前記給紙装置は、前記一時収納部から前記画像形成エンジンへ搬送する前記用紙の搬送速度を前記画像形成エンジンでの画像形成の際の用紙搬送速度より大きくする画像形成装置。
【請求項９】
前記用紙反転装置によって前記搬送経路に送り出した前記用紙の先端を検出するレジストセンサと、
前記レジストセンサによって検出した前記用紙の前記画像形成エンジンに対する搬送タイミングを前記画像形成の動作に同期させるレジストローラとを備え、
前記用紙反転装置によって前記搬送経路に送り出した前記用紙の前記給紙装置による前記レジストローラまでの搬送の速度を前記レジストローラによる前記用紙の前記画像形成エンジンに対する搬送速度より速くしている請求項８に記載の画像形成装置。
【請求項１０】
前記給紙装置は、前記一時収納部から前記画像形成エンジンへ搬送する前記用紙の搬送速度の程度を変更する用紙間距離調節手段を備える請求項８または９記載の画像形成装置。
【請求項１１】
前記給紙装置は、前記一時収納部から前記画像形成エンジンへ搬送する前記用紙の搬送速度を前記画像形成エンジンで搬送する際の用紙の搬送速度より大きくする時間を変更する用紙間距離調節手段を備える請求項８または９記載の画像形成装置。
【請求項１２】
前記用紙反転装置によって前記搬送経路に送り出した前記用紙を検出する用紙検出センサと、
前記給紙装置によって前記用紙反転装置で前記搬送経路に送り出した前記用紙の搬送を開始してから前記用紙検出センサによって前記用紙を検出するまでの時間を計時する計時手段とを備え、
前記給紙装置は、前記計時手段によって計時した時間に基づいて前記用紙反転装置によって前記搬送経路に送り出した前記用紙の搬送速度を大きくする請求項８〜１１のいずれかの一に記載の画像形成装置。
【請求項１３】
前記用紙反転装置によって前記搬送経路に送り出した前記用紙を検出する用紙検出センサと、
前記用紙検出センサによって先行する前記用紙の後端を検出してから後行する前記用紙の先端を検出するまでの時間を計時する計時手段とを設け、
前記給紙装置は、前記計時手段によって計時した時間に基づいて先行する前記用紙の後端と後行する前記用紙の先端との搬送間隔を略一定に維持するように後行する前記用紙の搬送速度を大きくする請求項８〜１１のいずれかの一に記載の画像形成装置。
【請求項１４】
前記用紙反転装置によって前記搬送経路に送り出した前記用紙を検出する用紙検出センサと、
前記給紙装置によって前記用紙反転装置で前記搬送経路に送り出した前記用紙の搬送を開始してから前記用紙検出センサによって前記用紙を検出するまでの時間を計時する計時手段とを設け、
前記給紙装置は、前記計時手段によって計時した時間に基づいて前記用紙の搬送を前記搬送経路中の所定の位置で一時停止する請求項８〜１１のいずれかの一に記載の画像形成装置。
【請求項１５】
前記用紙反転装置によって前記搬送経路に送り出した前記用紙を検出する用紙検出センサと、
前記給紙装置によって前記用紙反転装置で前記搬送経路に送り出した前記用紙の搬送を開始してから前記用紙検出センサによって前記用紙を検出するまでの時間を計時する計時手段とを設け、
前記給紙装置は、前記計時手段によって計時した時間に基づいて前記用紙の搬送を前記搬送経路中の所定の位置で一時停止するものであり、
前記給紙装置は、前記用紙反転装置によって前記搬送経路に送り出した前記用紙が前記レジストローラに突き当たった状態で前記用紙の搬送を一時停止する請求項９に記載の画像形成装置。
【請求項１６】
前記レジストセンサは、前記用紙検出センサと兼用である請求項１５に記載の画像形成装置。
【請求項１７】
前記搬送経路の前記一時収納部から前記画像形成エンジンまでの間で前記一時収納部側で前記用紙を検出する用紙検出センサと、
この用紙の検出の結果に応じて前記用紙反転装置による前記用紙の搬送速度を制御する速度制御手段と、を備えている請求項８に記載の画像形成装置。
【請求項１８】
前記搬送経路の前記一時収納部から前記画像形成エンジンまでの間で前記レジストセンサより前記一時収納部側で前記用紙を検出する用紙検出センサと、
この用紙の検出の結果に応じて前記用紙反転装置による前記用紙の搬送速度を制御する速度制御手段と、を備えている請求項９に記載の画像形成装置。
【請求項１９】
前記速度制御手段は、前記用紙検出センサにより前記用紙の先端の検出後における前記用紙反転装置による前記用紙の搬送を停止する時間の大きさにより前記搬送速度の制御を行うものである請求項１７または１８に記載の画像形成装置。
【請求項２０】
前記画像形成エンジンは、前記画像形成を電子写真方式で行うことを特徴とする請求項１〜１９のいずれかの一に記載の画像形成装置。
【請求項２１】
前記画像形成エンジンは、前記画像形成を感光体に対する静電潜像の光書込みにデジタル光書込装置を用いるデジタル電子写真方式で行なうことを特徴とする請求項２０に記載の画像形成装置。
【請求項２２】
請求項１〜２１のいずれかの一に記載の画像形成装置と、
画像データの入力を受付ける入力端子と、
前記画像形成装置を制御して前記画像データに基づく画像の形成を用紙上に行わせる制御部と、を備えている画像形成。
【請求項２３】
原稿の画像を読み取る画像読取装置と、
請求項１〜２１のいずれかの一に記載の画像形成装置と、
前記画像読取装置および前記画像形成装置を制御して前記画像読取装置で読み取った原稿の画像データに基づく画像形成を前記画像形成装置で用紙上に行わせる制御部と、を備えている複写機。
【請求項２４】
原稿の画像を読み取る画像読取装置と、
請求項１〜２１のいずれかの一に記載の画像形成装置と、
ネットワークを介して外部との間で画像データの送受信を行う送受信装置と、
前記画像読取装置、前記画像形成装置および送受信装置を制御して、前記画像読取装置で読み取った原稿の画像データを前記送受信装置でネットワークを介して外部に送信し、前記送受信装置でネットワークを介して外部から受信した画像データ基づく画像形成を前記画像形成装置で用紙上に行わせる制御部と、を備えているファクシミリ装置。
【請求項２５】
原稿の画像を読み取る画像読取装置と、
請求項１〜２１のいずれかの一に記載の画像形成装置と、
ネットワークを介して外部との間で画像データの送受信を行う送受信装置と、
画像データの入力を受付ける入力端子と、
画像データを出力する出力端子と、
前記画像読取装置、前記画像形成装置および送受信装置を制御して、選択的に、前記入力端子で受付けた前記画像データに基づく画像の形成を前記画像形成装置で行い、前記画像読取装置で読み取った原稿の画像データを前記出力端子を介して外部に出力し、前記画像読取装置で読み取った原稿の画像データを前記送受信装置でネットワークを介して外部に送信し、または、前記送受信装置でネットワークを介して外部から受信した画像データ基づく画像形成を前記画像形成装置で用紙上に行なう制御部と、を備えている複合機。
【手続補正２】
【補正対象書類名】明細書
【補正対象項目名】０００１
【補正方法】変更
【補正の内容】
【０００１】
【発明の属する技術分野】
この発明は、用紙を画像形成エンジンに搬送する搬送経路に設けた一時収納部に用紙を先端から収納し、この用紙の後端を先端とするようにスイッチバックして画像形成エンジンに搬送する機能を備えた画像形成装置、ならびに、この画像形成装置を備えた画像形成、複写機、ファクシミリ装置および複合機に関する。
【手続補正３】
【補正対象書類名】明細書
【補正対象項目名】００２１
【補正方法】変更
【補正の内容】
【００２１】
【課題を解決するための手段】
請求項１に記載の発明は、用紙上に画像形成を行う画像形成エンジンと、用紙が積層されて収納される積層収納部と、この積層されている用紙を１枚ずつ分離して前記画像形成エンジンに搬送する給紙装置と、前記搬送を行う搬送経路上に設けられ前記積層収納部から取り出された前記用紙が一時的に収納される一時収納部と、この一時収納部に前記積層収納部から搬送された前記用紙を先端から収納し、また、前記一時収納部に収納されている前記用紙の後端を先端とするように前記用紙をスイッチバックして前記画像形成エンジンに向けて送り出す用紙反転装置とを備え、前記給紙装置は、前記一時収納部より前記積層収納部側の前記搬送経路で前記用紙を送る場合と前記一時収納部より前記画像形成エンジン側の前記搬送経路で前記用紙を送る場合とで前記用紙の搬送速度を異ならせている画像形成装置である。
【手続補正４】
【補正対象書類名】明細書
【補正対象項目名】００２２
【補正方法】変更
【補正の内容】
【００２２】
したがって、一時収納部に一時的に用紙を収納することができるので、積載収納されている状態から分離したときの用紙の先端位置のバラツキを吸収することができ、用紙の搬送速度を過渡的に加速することなく、画像形成エンジンに連続搬送する用紙の間隔を縮めて、画像形成の生産性を向上させることができる。また、一時収納部に一時的に用紙を収納することができるので、積層収納部側の搬送経路で用紙を送る場合と画像形成エンジン側の搬送経路で用紙を送る場合とで用紙の搬送速度を異ならせても、用紙の搬送速度の安定した変換を行なうことができる。
【手続補正５】
【補正対象書類名】明細書
【補正対象項目名】００２３
【補正方法】変更
【補正の内容】
【００２３】
請求項２に記載の発明は、請求項１に記載の画像形成装置において、前記給紙装置は、前記一時収納部から前記画像形成エンジンに向けて前記用紙を送る場合より前記積層収納部から前記一時収納部に向けて前記用紙を送る場合の前記用紙の搬送速度を速くしていることを特徴とする。
【手続補正６】
【補正対象書類名】明細書
【補正対象項目名】００２４
【補正方法】変更
【補正の内容】
【００２４】
したがって、画像形成エンジン側での用紙の搬送速度を増大することなく、画像形成エンジンに連続搬送する用紙の間隔をさらに縮めて、画像形成の生産性をさらに向上させることができる。
【手続補正７】
【補正対象書類名】明細書
【補正対象項目名】００２５
【補正方法】変更
【補正の内容】
【００２５】
請求項３に記載の発明は、請求項または２に記載の画像形成装置において、前記給紙装置は、前記一時収納部より前記積層収納部側の前記搬送経路と前記一時収納部より前記画像形成エンジン側の前記搬送経路とで前記用紙の搬送およびその停止のタイミングを別個独立としていることを特徴とする。
【手続補正８】
【補正対象書類名】明細書
【補正対象項目名】００２６
【補正方法】変更
【補正の内容】
【００２６】
したがって、画像形成エンジンの手前でレジストレーション動作を行なうときでも、給紙装置全体を一時停止する必要がないので、用紙の安定した搬送を行なうことができる。
【手続補正９】
【補正対象書類名】明細書
【補正対象項目名】００２７
【補正方法】変更
【補正の内容】
【００２７】
請求項４に記載の発明は、請求項１〜３のいずれかの一に記載の画像形成装置において、前記用紙反転装置は、前記用紙をニップして正逆回転可能なローラ対からなり、前記ローラ対の正逆回転により前記用紙の前記一時収納部への収納および前記画像形成エンジンに向けての送り出しを行なうことを特徴とする。
【手続補正１０】
【補正対象書類名】明細書
【補正対象項目名】００３０
【補正方法】変更
【補正の内容】
【００３０】
したがって、一時収納部から搬送路に送り出されつつある用紙と搬送路から一時収納部に収納されつつある用紙とが重畳し合って一時収納部内に同時に存在することができるので、画像形成エンジンに連続搬送する用紙の間隔をさらに縮めて、画像形成の生産性をさらに向上させることができる。
【手続補正１１】
【補正対象書類名】明細書
【補正対象項目名】００３３
【補正方法】変更
【補正の内容】
【００３３】
請求項７に記載の発明は、請求項６に記載の画像形成装置において、前記一時収納部内から送出される前記用紙の前記送出側先端部の前記用紙検出センサによる検出信号に基づいて前記搬送経路から前記画像形成エンジンに前記用紙を供給する際のレジストレーション動作のタイミングをとるタイミング手段を備えていることを特徴とする。
【手続補正１２】
【補正対象書類名】明細書
【補正対象項目名】００３５
【補正方法】変更
【補正の内容】
【００３５】
請求項８に記載の発明は、用紙上に画像形成を行う画像形成エンジンと、用紙が積層されて収納される積層収納部と、この積層されている用紙を１枚ずつ分離して前記画像形成エンジンに搬送する給紙装置と、前記搬送を行う搬送経路上に設けられ前記積層収納部から取り出された前記用紙が一時的に収納される一時収納部と、この一時収納部に前記積層収納部から搬送された前記用紙を先端から収納し、また、前記一時収納部に収納されている前記用紙の後端を先端とするように前記用紙をスイッチバックして前記画像形成エンジンに向けて送り出す用紙反転装置とを備え、前記給紙装置は、前記一時収納部から前記画像形成エンジンへ搬送する前記用紙の搬送速度を前記画像形成エンジンでの画像形成の際の用紙搬送速度より大きくする画像形成装置である。
【手続補正１３】
【補正対象書類名】明細書
【補正対象項目名】００３６
【補正方法】変更
【補正の内容】
【００３６】
したがって、一時収納部に一時的に用紙を収納することができるので、積載収納されている状態から分離したときの用紙の先端位置のバラツキを吸収することができ、用紙の搬送速度を過渡的に加速することなく、画像形成エンジンに連続搬送する用紙の間隔を縮めて、画像形成の生産性を向上させることができる。また、一時収納部から画像形成エンジンに搬送する用紙の搬送速度を画像形成エンジンでの画像形成の際の用紙搬送速度より大きくすることで、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正１４】
【補正対象書類名】明細書
【補正対象項目名】００３７
【補正方法】変更
【補正の内容】
【００３７】
請求項９に記載の発明は、請求項８に記載の画像形成装置において、前記用紙反転装置によって前記搬送経路に送り出した前記用紙の先端を検出するレジストセンサと、前記レジストセンサによって検出した前記用紙の前記画像形成エンジンに対する搬送タイミングを前記画像形成の動作に同期させるレジストローラとを備え、前記用紙反転装置によって前記搬送経路に送り出した前記用紙の前記給紙装置による前記レジストローラまでの搬送の速度を前記レジストローラによる前記用紙の前記画像形成エンジンに対する搬送速度より速くしている。
【手続補正１５】
【補正対象書類名】明細書
【補正対象項目名】００３８
【補正方法】変更
【補正の内容】
【００３８】
したがって、用紙反転装置によって搬送経路に送り出した用紙の給紙装置によるレジストローラまでの搬送の速度をレジストローラによる用紙の画像形成エンジンに対する搬送速度より速くすることで、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正１６】
【補正対象書類名】明細書
【補正対象項目名】００３９
【補正方法】変更
【補正の内容】
【００３９】
請求項１０に記載の発明は、請求項８または９記載の画像形成装置において、前記給紙装置は、前記一時収納部から前記画像形成エンジンへ搬送する前記用紙の搬送速度の程度を変更する用紙間距離調節手段を備える。
【手続補正１７】
【補正対象書類名】明細書
【補正対象項目名】００４０
【補正方法】変更
【補正の内容】
【００４０】
したがって、画像形成エンジンへ搬送する用紙の搬送速度の程度を変更することで、搬送する用紙の間隔を調節することが可能になり、搬送する用紙間隔の拡大による画像形成エンジンの磨耗劣化の低減することができ、用紙搬送品質および画像形成の生産性を向上させることができる。
【手続補正１８】
【補正対象書類名】明細書
【補正対象項目名】００４１
【補正方法】変更
【補正の内容】
【００４１】
請求項１１に記載の発明は、請求項８または９記載の画像形成装置において、前記給紙装置は、前記一時収納部から前記画像形成エンジンへ搬送する前記用紙の搬送速度を前記画像形成エンジンで搬送する際の用紙の搬送速度より大きくする時間を変更する用紙間距離調節手段を備える。
【手続補正１９】
【補正対象書類名】明細書
【補正対象項目名】００４２
【補正方法】変更
【補正の内容】
【００４２】
したがって、用紙の搬送速度を画像形成エンジンで搬送する際の用紙の搬送速度より大きくする時間を変更することで、搬送する用紙の間隔を調節することが可能になり、搬送する用紙間隔の拡大による画像形成エンジンの磨耗劣化の低減することができ、用紙搬送品質および画像形成の生産性を向上させることができる。
【手続補正２０】
【補正対象書類名】明細書
【補正対象項目名】００４４
【補正方法】変更
【補正の内容】
【００４４】
したがって、用紙反転装置で搬送経路に送り出した用紙の搬送を開始してから用紙検出センサによって用紙を検出するまでの時間に基づいて、用紙反転装置で搬送経路に送り出した用紙の搬送速度を大きくするので、搬送する用紙の間隔を小さくすることが可能になり、搬送する用紙間隔の拡大による画像形成エンジンの磨耗劣化を低減して、用紙搬送品質および画像形成の生産性を向上させることができる。
【手続補正２１】
【補正対象書類名】明細書
【補正対象項目名】００４６
【補正方法】変更
【補正の内容】
【００４６】
したがって、先行する用紙の後端を検出してから後行する用紙の先端を検出するまでの時間に基づいて、先行する用紙の後端と後行する用紙の先端との搬送間隔を略一定に維持するように後行する用紙の搬送速度を大きくするので、例えば、用紙の搬送方向の長さの誤差が大きい用紙を搬送する場合にも、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正２２】
【補正対象書類名】明細書
【補正対象項目名】００４８
【補正方法】変更
【補正の内容】
【００４８】
したがって、用紙反転装置で搬送経路に送り出した用紙の搬送を開始してから用紙検出センサによって用紙を検出するまでの時間に基づいて、用紙の搬送を搬送経路中の所定の位置で一時停止するので、部品点数を増加せずに、また、給紙装置による一時収納部への用紙搬送を妨げることなく、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正２３】
【補正対象書類名】明細書
【補正対象項目名】００５０
【補正方法】変更
【補正の内容】
【００５０】
したがって、用紙反転装置によって搬送経路に送り出した用紙がレジストローラに突き当たった状態で用紙の搬送を一時停止するので、用紙搬送を再開した場合に、画像形成エンジンへ迅速かつ高精度に用紙を搬送することが可能になり、用紙搬送品質および画像形成の生産性を向上させることができる。
【手続補正２４】
【補正対象書類名】明細書
【補正対象項目名】００５３
【補正方法】変更
【補正の内容】
【００５３】
請求項１７に記載の発明は、請求項８に記載の画像形成装置において、前記搬送経路の前記一時収納部から前記画像形成エンジンまでの間で前記一時収納部側で前記用紙を検出する用紙検出センサと、この用紙の検出の結果に応じて前記用紙反転装置による前記用紙の搬送速度を制御する速度制御手段と、を備えている。
【手続補正２５】
【補正対象書類名】明細書
【補正対象項目名】００５５
【補正方法】変更
【補正の内容】
【００５５】
請求項１８に記載の発明は、請求項９に記載の画像形成装置において、前記搬送経路の前記一時収納部から前記画像形成エンジンまでの間で前記レジストセンサより前記一時収納部側で前記用紙を検出する用紙検出センサと、この用紙の検出の結果に応じて前記用紙反転装置による前記用紙の搬送速度を制御する速度制御手段と、を備えている。
【手続補正２６】
【補正対象書類名】明細書
【補正対象項目名】００５９
【補正方法】変更
【補正の内容】
【００５９】
請求項２０に記載の発明は、請求項１〜１９のいずれかの一に記載の画像形成装置において、前記画像形成エンジンは、前記画像形成を電子写真方式で行うことを特徴とする。
【手続補正２７】
【補正対象書類名】明細書
【補正対象項目名】００６１
【補正方法】変更
【補正の内容】
【００６１】
請求項２１に記載の発明は、請求項２０に記載の画像形成装置において、前記画像形成エンジンは、前記画像形成を感光体に対する静電潜像の光書込みにデジタル光書込装置を用いるデジタル電子写真方式で行なうことを特徴とする。
【手続補正２８】
【補正対象書類名】明細書
【補正対象項目名】００６３
【補正方法】変更
【補正の内容】
【００６３】
請求項２２に記載の発明は、請求項１〜２１のいずれかの一に記載の画像形成装置と、画像データの入力を受付ける入力端子と、前記画像形成装置を制御して前記画像データに基づく画像の形成を用紙上に行わせる制御部と、を備えている画像形成である。
【手続補正２９】
【補正対象書類名】明細書
【補正対象項目名】００６４
【補正方法】変更
【補正の内容】
【００６４】
したがって、画像形成について請求項１〜１９のいずれかの一に記載の発明と同様の作用、効果を奏することができる。
【手続補正３０】
【補正対象書類名】明細書
【補正対象項目名】０１６４
【補正方法】変更
【補正の内容】
【０１６４】
【発明の効果】
請求項１に記載の発明は、一時収納部に一時的に用紙を収納することができるので、積載収納されている状態から分離したときの用紙の先端位置のバラツキを吸収することができ、用紙の搬送速度を過渡的に加速することなく、画像形成エンジンに連続搬送する用紙の間隔を縮めて、画像形成の生産性を向上させることができる。また、一時収納部に一時的に用紙を収納することができるので、積層収納部側の搬送経路で用紙を送る場合と画像形成エンジン側の搬送経路で用紙を送る場合とで用紙の搬送速度を異ならせても、用紙の搬送速度の安定した変換を行なうことができる。
【手続補正３１】
【補正対象書類名】明細書
【補正対象項目名】０１６５
【補正方法】変更
【補正の内容】
【０１６５】
請求項２に記載の発明は、請求項１に記載の画像形成装置において、画像形成エンジン側での用紙の搬送速度を増大することなく、画像形成エンジンに連続搬送する用紙の間隔をさらに縮めて、画像形成の生産性をさらに向上させることができる。
【手続補正３２】
【補正対象書類名】明細書
【補正対象項目名】０１６６
【補正方法】変更
【補正の内容】
【０１６６】
請求項３に記載の発明は、請求項または２に記載の画像形成装置において、画像形成エンジンの手前でレジストレーション動作を行なうときでも、給紙装置全体を一時停止する必要がないので、用紙の安定した搬送を行なうことができる。
【手続補正３３】
【補正対象書類名】明細書
【補正対象項目名】０１６８
【補正方法】変更
【補正の内容】
【０１６８】
請求項５に記載の発明は、請求項４に記載の画像形成装置において、一時収納部から搬送路に送り出されつつある用紙と搬送路から一時収納部に収納されつつある用紙とが重畳し合って一時収納部内に同時に存在することができるので、画像形成エンジンに連続搬送する用紙の間隔をさらに縮めて、画像形成の生産性をさらに向上させることができる。
【手続補正３４】
【補正対象書類名】明細書
【補正対象項目名】０１７１
【補正方法】変更
【補正の内容】
【０１７１】
請求項８に記載の発明は、一時収納部に一時的に用紙を収納することができるので、積載収納されている状態から分離したときの用紙の先端位置のバラツキを吸収することができ、用紙の搬送速度を過渡的に加速することなく、画像形成エンジンに連続搬送する用紙の間隔を縮めて、画像形成の生産性を向上させることができる。また、一時収納部から画像形成エンジンに搬送する用紙の搬送速度を画像形成エンジンでの画像形成の際の用紙搬送速度より大きくすることで、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正３５】
【補正対象書類名】明細書
【補正対象項目名】０１７２
【補正方法】変更
【補正の内容】
【０１７２】
請求項９に記載の発明は、請求項８に記載の画像形成装置において、用紙反転装置によって搬送経路に送り出した用紙の給紙装置によるレジストローラまでの搬送の速度をレジストローラによる用紙の画像形成エンジンに対する搬送速度より速くすることで、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正３６】
【補正対象書類名】明細書
【補正対象項目名】０１７３
【補正方法】変更
【補正の内容】
【０１７３】
請求項１０に記載の発明は、請求項８または９記載の画像形成装置において、画像形成エンジンへ搬送する用紙の搬送速度の程度を変更することで、搬送する用紙の間隔を調節することが可能になり、搬送する用紙間隔の拡大による画像形成エンジンの磨耗劣化の低減することができ、用紙搬送品質および画像形成の生産性を向上させることができる。
【手続補正３７】
【補正対象書類名】明細書
【補正対象項目名】０１７４
【補正方法】変更
【補正の内容】
【０１７４】
請求項１１に記載の発明は、請求項８または９記載の画像形成装置において、用紙の搬送速度を画像形成エンジンで搬送する際の用紙の搬送速度より大きくする時間を変更することで、搬送する用紙の間隔を調節することが可能になり、搬送する用紙間隔の拡大による画像形成エンジンの磨耗劣化の低減することができ、用紙搬送品質および画像形成の生産性を向上させることができる。
【手続補正３８】
【補正対象書類名】明細書
【補正対象項目名】０１７５
【補正方法】変更
【補正の内容】
【０１７５】
請求項１２に記載の発明は、請求項８〜１１のいずれかの一に記載の画像形成装置において、用紙反転装置で搬送経路に送り出した用紙の搬送を開始してから用紙検出センサによって用紙を検出するまでの時間に基づいて、用紙反転装置で搬送経路に送り出した用紙の搬送速度を大きくするので、搬送する用紙の間隔を小さくすることが可能になり、搬送する用紙間隔の拡大による画像形成エンジンの磨耗劣化を低減して、用紙搬送品質および画像形成の生産性を向上させることができる。
【手続補正３９】
【補正対象書類名】明細書
【補正対象項目名】０１７６
【補正方法】変更
【補正の内容】
【０１７６】
請求項１３に記載の発明は、請求項８〜１１のいずれかの一に記載の画像形成装置において、先行する用紙の後端を検出してから後行する用紙の先端を検出するまでの時間に基づいて、先行する用紙の後端と後行する用紙の先端との搬送間隔を略一定に維持するように後行する用紙の搬送速度を大きくするので、例えば、用紙の搬送方向の長さの誤差が大きい用紙を搬送する場合にも、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正４０】
【補正対象書類名】明細書
【補正対象項目名】０１７７
【補正方法】変更
【補正の内容】
【０１７７】
請求項１４に記載の発明は、請求項８〜１１のいずれかの一に記載の画像形成装置において、用紙反転装置で搬送経路に送り出した用紙の搬送を開始してから用紙検出センサによって用紙を検出するまでの時間に基づいて、用紙の搬送を搬送経路中の所定の位置で一時停止するので、部品点数を増加せずに、また、給紙装置による一時収納部への用紙搬送を妨げることなく、搬送する用紙の間隔を小さくすることが可能になり、搬送する用紙間隔の拡大による画像形成エンジンの磨耗劣化の低減することができ、用紙搬送品質および画像形成の生産性を向上させることができる。
【手続補正４１】
【補正対象書類名】明細書
【補正対象項目名】０１７８
【補正方法】変更
【補正の内容】
【０１７８】
請求項１５に記載の発明は、請求項９に記載の画像形成装置において、用紙反転装置によって搬送経路に送り出した用紙がレジストローラに突き当たった状態で用紙の搬送を一時停止するので、用紙搬送を再開した場合に、画像形成エンジンへ迅速かつ高精度に用紙を搬送することが可能になり、用紙搬送品質および画像形成の生産性を向上させることができる。
【手続補正４２】
【補正対象書類名】明細書
【補正対象項目名】０１８５
【補正方法】変更
【補正の内容】
【０１８５】
請求項２２に記載の発明は、画像形成について請求項１〜１９のいずれかの一に記載の発明と同様の作用、効果を奏することができる。